(57)【特許請求の範囲】
【請求項１】
３尺を基準として、１．５尺間隔、１尺間隔、そして３尺の始点および終点から１．５尺/２の点にそれぞれ視覚において異なる形状の目印部を備えるとともに、各目印部には中心線部、野縁の幅に対応する両側線部が設けられるとともに、野縁幅と同幅のそれぞれ視覚において異なる色の帯が含まれてなる割り付け目印テープ。
【請求項２】
３尺を基準として、１．５尺間隔、１尺間隔、そして３尺の始点および終点から１．５尺/２の点にそれぞれ 三角形状目印部、六角形目印部、逆三角形状目印部を備えるとともに、各目印部には中心線部、野縁の幅に対応する両側線部が設けられるとともに、野縁幅と同幅のそれぞれ視覚において異なる色の帯が含まれてなる割り付け目印テープ。
【発明の詳細な説明】
【技術分野】
【０００１】
本発明は、壁や天井などの野縁の割り付けに便利な割り付け目印テープに関するものである。
【背景技術】
【０００２】
従前から、壁や天井などへの石膏ボードなどの仕上げ材の取り付け工事は、順序としては、木や鉄等の野縁材を組み込んでから石膏ボードなどの仕上げ材の取り付けとなるが、上記の野縁の取り付けは、石膏ボードの種類によって、また一般住宅用か耐震用かなどによって、野縁の種類や取り付け個所などが異なるため、未熟な職人ではミスが生じやすいため、熟練の職人に任せなければならず、熟練職人を確保する手間がかかる上に、割り付け作業に時間を要することなどにより、人件費も嵩み、工事費が割高となるなどの問題があったものである。
【０００３】
このような事情の下、工事管理者にとっては、昨今の東京オリンピックやリニア新幹線などの大規模プロジェクトが目白押しで、熟練職人が不足する傾向がますます強くなると、野縁の取り付けに未熟な職人や未経験者であっても取り付けが行ない得る手段を模索はするが、効果的な手段は見当たらず、結局、これまでと同様に熟練職人に頼らざるを得ないというのが現状である。
【先行技術文献】
【特許文献】
【０００４】
【特許文献１】特開平０８−７４７３６号公報
【発明の概要】
【発明が解決しようとする課題】
【０００５】
解決しようとする問題点は、野縁の取り付けに未熟な職人であっても取り付けが容易で、かつミスなく行ない得る手段を提供することにある。
【課題を解決するための手段】
【０００６】
本発明の割り付けテープは、３尺を基準として、１．５尺間隔、１尺間隔、そして３尺の始点および終点から１．５尺/２の点にそれぞれ視覚において異なる形状の目印部を備えるとともに、各目印部には中心線部、野縁の幅に対応する両側線部が設けられるとともに、野縁幅と同幅のそれぞれ視覚において異なる色の帯が含まれてなるものである。
また、本発明の割り付けテープは、３尺を基準として、１．５尺間隔、１尺間隔、そして３尺の始点および終点から１．５尺/２の点にそれぞれ視覚において異なる形状の目印部を備えるとともに、各目印部には中心線部、野縁幅に対応する両側線部が設けられてなるものである。
そしてまた、本発明の割り付けテープは、３尺の始点・終点を基準として１．５尺間隔、１尺間隔、１．５/２尺間隔でそれぞれ視覚において異なる形状の目印部に野縁幅と同幅のそれぞれ視覚において異なる色の帯が含まれてなるものである。
【発明の効果】
【０００７】
本発明の割り付けテープは、野縁受けなどに貼れば、テープに表示された割り印から使用する割り印を合わせて野縁等を野縁取り付けの未熟者、未経験者であっても容易に、かつ正確に、しかも短時間で取り付けられ、作業のスピード化、正確化、コスト低減化が実現できる。
【図面の簡単な説明】
【０００８】
【図１】図１は本発明の割り付け目印テープの平面図である。
【図２】図２は図１の要部拡大平面図である。
【図３】図３は本発明の割り付け目印テープを使用して石膏ボード３尺×６尺（９１０ｍｍ×１８２０ｍｍ）１４を取り付ける実施例を示す概略斜視図である。
【図４】図４は本発明の割り付け目印テープを使用して天井に石膏ボード１．５尺×３尺（４５５ｍｍ×９１０ｍｍ）１８を取り付ける別の実施例を示す概略正面図である。
【図５】図５は本発明の割り付け目印テープを使用して天井に石膏ボード３尺×３尺（９１０ｍｍ×９１０ｍｍ）１９を取り付ける別の実施例を示す概略正面図である。
【図６】図６は本発明の割り付け目印テープを使い捨て巻きテープにした概略正面斜視図である。
【発明を実施するための形態】
【０００９】
本発明の割り付け目印テープは、３尺（９１０ｍｍ）を基準として、１．５尺（４５５ｍｍ）間隔、１尺（３０３ｍｍ）間隔、そして３尺の始点および終点から１．５尺/２（２２７ｍｍ）の点にそれぞれ視覚において異なる特徴のある目印部を備えるとともに、各目印部には中心線部、野縁の幅に対応する両側線部が設けられるとともに、野縁幅に対応する帯を含んでいる。
【実施例１】
【００１０】
図１および図２において、本発明に係る割り付けテープ１は、接着剤により野縁受けなどに貼り付け可能であるとともに、湿度などにより伸縮しないテープ材に印刷して用いられる。この実施例では、３尺（９１０ｍｍ）を基準として、１．５尺（４５５ｍｍ）間隔で三角形状目印部２、１尺（３０３ｍｍ）間隔で六角形状目印部３、そして３尺の始点および終点から１．５尺/２（２２７ｍｍ）の点に逆三角形（上記三角形状目印部の三角形に対して）状目印部４がそれぞれ配されるとともに、各目印部には寸法、中心線部５と、三角形状目印部２にはダブル野縁幅の両側線部６とダブル野縁幅の帯７、六角形状目印部にはシングル野縁幅両側線部８とダブル野縁幅両側線部９とシングル野縁幅の帯１０、そして逆三角形状目印部４にはシングル野縁幅両側線部１１とダブル野縁幅両側線部１２とシングル野縁幅の帯１３が設けられている。
【００１１】
図３は、天井に石膏ボード３尺×６尺（９１０ｍｍ×１８２０ｍｍ）１４を取り付ける実施例を示している。
野縁受け１５等にこの割り付けテープ１を貼る前に、貼り出しラインを墨出し及び糸はり、その後に貼る。９１０ｍｍ三角形状目印部２をセンターラインを０点とし、使用する割り印に合わせて野縁を取り付ける。
この例では、９１０ｍｍ三角形状目印部２の中心線部５、ダブル野縁１６の幅の両側線部６と帯７を確認してダブル野縁１６を、また六角形状目印部３には、中心線部５、シングル野縁１７の幅の両側線部８と帯９を確認してシングル野縁１７を取り付ける。一般用はこれでよいが、図示していないが、耐震用の場合などシングル野縁ではなくダブル野縁の取り付けが必要な場合は、シングル野縁に代えてダブル野縁１６の幅の両側線部９を確認してダブル野縁を取り付ける。
【実施例２】
【００１２】
また、図４において、天井に石膏ボード１．５尺×３尺（４５５ｍｍ×９１０ｍｍ）１８を取り付ける別の実施例を示している。この例では、三角形状目印部２の中心線部５、ダブル野縁幅の両側線部６と帯７を確認してダブル野縁１６を、また逆三角形状目印部４には、中心線部５、シングル野縁幅の両側線部８と帯９を確認してシングル野縁１７を取り付ける。目印部、寸法、中心線、両側線、そして帯により作業者はどの種類の野縁をどの個所に取り付けるか一目瞭然となっている。帯は野縁の幅に相応しているので感覚的に野縁の種類を確かめることができる。
【実施例３】
【００１３】
そしてまた、図５において、天井に石膏ボード３尺×３尺（１８２０ｍｍ×１８２０ｍｍ）１９を取り付ける別の実施例を示している。この例では、三角形状目印部２の中心線部５、ダブル野縁幅の両側線部６と帯７を確認してダブル野縁１６を、また逆三角形状目印部には、中心線部５、シングル野縁幅の両側線部１１と帯１３を確認してシングル野縁１７を取り付ける。
【００１４】
尚、この実施例では、目印部として三角形、逆三角形、六角形を使用したが、視覚上異なる形状や色の目印であればよい。また、帯についてもこの実施例では長方形としたが野縁幅と同幅であり、視覚上異なる特徴のある形状や色の目印であればよい。
【産業上の利用可能性】
【００１５】
野縁受けなどに貼れば、テープに表示された割り印から使用する割り印を合わせて野縁等を野縁取り付けの未熟者、未経験者であっても容易に、かつ正確に、しかも短時間で取り付けられ、作業のスピード化、正確化、コスト低減化が実現できる。また、壁や天井を取り付けた後も、野縁の割り印の一つをどこかに記録しておけば、そこに割り付けテープを貼れば、壁や天井に隠れた野縁の取り付け個所が正確にわかり、天井や壁への内装品や電気製品等の取り付けに利用できる。
【符号の説明】
【００１６】
１    割り付けテープ
２    三角形状目印部
３    六角形目印部
４    逆三角形状目印部
５    中心線部
６    側線部
７    帯
８    側線部
９    側線部
１０  帯
１１  側線部
１２  側線部
１３  帯
１４  ３尺×６尺石膏ボード
１５  野縁受け
１６  ダブル野縁
１７  シングル野縁
１８  １．５尺×３尺石膏ボード
１９  ３尺×３尺石膏ボード
【図１】
0006765190.tif 000002
【図２】
0006765190.tif 000003
【図３】
0006765190.tif 000004
【図４】
0006765190.tif 000005
【図５】
0006765190.tif 000006
【図６】
0006765190.tif 000007